(57)【要約】【課題】  居室の通気が確保されると共に防音性が発揮され、また遮光性を発揮することが可能な通気性建具防音構造を提供する。【解決手段】  面状建具１と、建具の外周部に設けられた間隙部３とからなり、間隙部３（好ましくは、間隙部３が建具１の面に対して傾斜した形状又はクランク形状である）の近傍には吸音材が配設され、吸音材の少なくとも一部が間隙部３に露出している。【選択図】  図１
2005097941.tif 000002
【特許請求の範囲】
【請求項１】
面状建具と、建具の外周部に設けられた間隙部とからなり、間隙部の近傍には吸音材が配設され、吸音材の少なくとも一部が間隙部に露出していることを特徴とする通気性建具防音構造。
【請求項２】
間隙部が建具の下部に設けられたことを特徴とする請求項１記載の通気性建具防音構造。
【請求項３】
間隙部が建具の上部に設けられたことを特徴とする請求項１記載の通気性建具防音構造。
【請求項４】
間隙部が建具の面に対して傾斜して設けられていることを特徴とする請求項１〜３の何れか１項記載の通気性建具防音構造。
【請求項５】
間隙部が建具の面に向かってクランク形状であることを特徴とする請求項１〜３の何れか１項記載の通気性建具防音構造。
【請求項６】
面状建具の一部に通気性を有する間隙部が設けられ、間隙部の近傍には吸音材が配設され、吸音材の少なくとも一部が間隙部に露出していることを特徴とする通気性建具防音構造。
【請求項７】
間隙部が建具の面に対して傾斜して設けられていることを特徴とする請求項６記載の通気性建具防音構造。
【請求項８】
間隙部が建具の面に向かってクランク形状であることを特徴とする請求項６記載の通気性建具防音構造。
【発明の詳細な説明】
【技術分野】
【０００１】
本発明は、住宅の居室などに好適に用いられる通気性建具防音構造に関する。なお、本発明における通気性とは部屋の通気が確保されていることを意味し、建具防音構造とはドアや引き戸若しくはパーティションなどの建具、又は建具とその周囲における防音構造を意味する。
【背景技術】
【０００２】
従来、住宅などの建物に用いられるドアなどの建具においては、高い防音性能が求められており、例えば特許文献１には、矩形状枠体の表裏両面に板状体を張合わせて内部に中空部を形成し、少なくとも一方の板状体の内面に遮音シートを固定すると共に、中空部に吸音材を充填したドアにおいて、前記板状体を、厚さ１０ｍｍ以上、比重０．７以上の木質板で形成した防音ドアが開示されている。
【０００３】
一方、近年住宅などの居室における揮発性化学物質の有害性の問題について、特定の化学物質などの法的な規制が検討され、例えば２４時間換気システムなどの導入などが行われている。そして、この様な換気システムを導入する場合には、上記建具にはアンダーカットなどの隙間を設けて居室の通気を確保する必要が生じている。
【０００４】
しかし、建具に隙間を設けると、隙間から音が進入しやすくなるため遮音性が大幅に低下し、建具の防音効果を十分に発揮することが困難になるという問題があった。また、隙間を通して居室内から外部へ光が漏れたり、逆に外部から居室内へ光が進入したりするという問題もあり、防音性や遮光性についての改善が要望されている。
【０００５】
【特許文献１】特開２００２−８９１４２号公報
【発明の開示】
【発明が解決しようとする課題】
【０００６】
本発明の目的は、上記従来の問題点に鑑み、居室の通気が確保されると共に防音性が発揮され、また遮光性を発揮することが可能な通気性建具防音構造を提供することにある。
【課題を解決するための手段】
【０００７】
請求項１記載の通気性建具防音構造は、面状建具と、建具の外周部に設けられた間隙部とからなり、間隙部の近傍には吸音材が配設され、吸音材の少なくとも一部が間隙部に露出していることを特徴とする。
【０００８】
請求項２記載の通気性建具防音構造は、請求項１記載の通気性建具防音構造であって、間隙部が建具の下部に設けられたことを特徴とする。
【０００９】
請求項３記載の通気性建具防音構造は、請求項１記載の通気性建具防音構造であって、間隙部が建具の上部に設けられたことを特徴とする。
【００１０】
請求項４記載の通気性建具防音構造は、請求項１〜３の何れか１項記載の通気性建具防音構造であって、間隙部が建具の面に対して傾斜して設けられていることを特徴とする。
【００１１】
請求項５記載の通気性建具防音構造は、請求項１〜３の何れか１項記載の通気性建具防音構造であって、間隙部が建具の面に向かってクランク形状であることを特徴とする。
【００１２】
請求項６記載の通気性建具防音構造は、面状建具の一部に通気性を有する間隙部が設けられ、間隙部の近傍には吸音材が配設され、吸音材の少なくとも一部が間隙部に露出していることを特徴とする通気性建具防音構造。
【００１３】
請求項７記載の通気性建具防音構造は、請求項６記載の通気性建具防音構造であって、間隙部が建具の面に対して傾斜して設けられていることを特徴とする。
【００１４】
請求項８記載の通気性建具防音構造は、請求項６記載の通気性建具防音構造であって、間隙部が建具の面に向かってクランク形状であることを特徴とする。
【００１５】
以下、本発明について図面を参照しつつ詳細に説明する。
図１は本発明に係る通気性建具防音構造の一例を示す模式断面図である。
本発明の通気性建具防音構造は、図１に示すように、面状建具（ドア）１と、床４に設けられた敷居部２との間に間隙部３とからなり、間隙部３に吸音材５が配設されたものである。
【００１６】
吸音材５は、例えば図２に拡大して示すように、面状建具１の下面及び敷居部２の上面に埋め込まれ、パンチングメタルなどの有孔材料６で蓋をされ固定されている。この場合吸音材５は有孔材料６の孔部において間隙部に露出した構造となっている。
【００１７】
上記吸音材５の材質としては、特に限定されず、例えばグラスウール、ロックウール、各種発泡体、不織布などの各種繊維質材料などが挙げられる。中でもグラスウールやロックウールなどの形状保持が難しい吸音材５を用いる場合は、上記のように有孔材料６を用いて固定されることが好ましい。有孔材料６としては、例えばパンチングメタルや金網などの金属材料のほか、合成樹脂材料からなるものであってもよい。
【００１８】
また、吸音材５は、例えば発泡体などのように形状保持が容易である場合には、図３に示すように、面状建具１の下面又は敷居部２の上面に接着剤などで直接固定されてもよい。
【００１９】
更に、図４に示すように、吸音材５が面状建具１の下面又は床４の上面に埋め込まれたものであってもよく、更に有孔金属板６で固定されたものであってもよい。
【００２０】
上記間隙部３の間隔としては、特に限定されないが、通常３〜２０ｍｍとされる。
【００２１】
間隙部３の位置は、例えば図５に示すように、面状建具１の上部に設けられたものであってもよい。面状建具１の上部に設けられた場合、間隙部３が高い位置にあるため見え難く気になり難い点で好ましい。
【００２２】
また、間隙部３の形状としては、特に限定されないが、例えば図６に示すように面状建具１の面に対して傾斜して設けられたもの、若しくは図７に示すように面状建具１の面に向かってクランク形状であるものであると、通気経路が長くなり防音性が向上するとともに、遮光性が得られる点で好ましい。
【００２３】
更に、本発明における間隙部３は、図８〜１０に示すように、面状建具１の一部に設けられたものであってもよい。その形状は特に限定されないが、上記同様に、傾斜して設けられたものやクランク形状などの場合、防音性が向上するとともに、遮光性が得られる点で好ましい。
【００２４】
本発明の通気性建具防音構造における間隙部３は、上記のようなものであれば単数に限定されず複数設けられたものであってもよい。
【発明の効果】
【００２５】
本発明の通気性建具防音構造は、上記のように間隙部の近傍には吸音材が配設され、吸音材の少なくとも一部が間隙部に露出していることを特徴とするので、音が通過する際に、間隙部に用いられた吸音材によって減衰され、通気性を有しつつも防音性を発揮することができる。
【００２６】
上記間隙部が建具の上部に設けられた場合には、特にバリアフリー（段差無し）の床構造に適用し易くなるとともに、間隙部を通過する光が気になり難い構造を提供することができる。
【００２７】
上記間隙部が建具の面に対して傾斜して設けられている場合、又は、建具の面に向かってクランク形状である場合には、間隙部における音の通過距離が長くなるため防音性が向上し、上記効果は更に確実になると共に、隙間を通して居室内から外部へ光が漏れたり、逆に外部から居室内へ光が進入したりすることがなく良好な遮光性が得られる。
【００２８】
上記間隙部が面状建具の一部に設けられた場合においても、上記同様の効果を発揮することができ、間隙部が建具の面に対して傾斜して設けられている場合、又は、建具の面に向かってクランク形状である場合には、上記同様に、防音性が向上するとともに、良好な遮光性が得られる。
【実施例】
【００２９】
以下に実施例および比較例を示すことにより、本発明を更に具体的に説明する。
尚、本発明は下記実施例のみに限定されるものではない。
【００３０】
（実施例１）
図１に示すように、ドア１と敷居部２（床からの高さ５０ｍｍ）との間に水平形状の間隙部３（間隔１５ｍｍ）を設け、図２に示すようにドア１及び敷居部２を構成する合板１ａ，１ａ（厚さ４ｍｍ）の間に吸音材５（ガラスウール３２ｋ、厚み２５ｍｍ）を埋め込み、アルミ製のパンチングメタル（孔径２ｍｍ、ピッチ３．５ｍｍ、開孔率３０％）で固定して通気性建具防音構造を得た。
【００３１】
（実施例２）
間隙部３を、図６に示すようにドア１の面に対して傾斜した形状（傾斜角４５度）としたこと以外は実施例１と同様にして通気性建具防音構造を得た。
【００３２】
（実施例３）
間隙部３を、図７に示すようにドア１の面に向かってクランク形状（縦方向の間隙部長さ１５ｍｍ）としたこと以外は実施例１と同様にして通気性建具防音構造を得た。
【００３３】
（比較例１）
吸音材５を用いなかったこと以外は実施例１と同様にして通気性建具構造を得た。
【００３４】
上記実施例及び比較例の構造について、図１１に示すような評価方法で、８０ｄＢの音源音圧に対するドア通過後の騒音レベルを評価した。評価結果のグラフを図１２に示した。
【００３５】
図１２から明らかなように、本発明の実施例においては、通気性を有する間隙部が設けられているにも拘わらず、優れた防音性能を発現することが判明した。
【図面の簡単な説明】
【００３６】
【図１】本発明に係る通気性建具防音構造の一例を示す模式断面図である。
【図２】間隙部の構造の一例を説明する拡大断面図である。
【図３】間隙部の構造の他の一例を説明する拡大断面図である。
【図４】間隙部の構造の更に他の一例を説明する拡大断面図である。
【図５】本発明に係る通気性建具防音構造の他の一例を示す模式断面図である。
【図６】本発明に係る通気性建具防音構造の更に他の一例を示す模式断面図である。
【図７】本発明に係る通気性建具防音構造の更に他の一例を示す模式断面図である。
【図８】本発明に係る通気性建具防音構造の更に他の一例を示す模式断面図である。
【図９】本発明に係る通気性建具防音構造の更に他の一例を示す模式断面図である。
【図１０】本発明に係る通気性建具防音構造の更に他の一例を示す模式断面図である。
【図１１】防音性能の評価方法を説明する模式図である。
【図１２】騒音レベルの測定結果を示すグラフである。
【符号の説明】
【００３７】
１  面状建具（ドア）
１ａ  合板
２  敷居部
３  間隙部
４  床
５  吸音材
６  有孔材料（パンチングメタル）
【図１】
2005097941.tif 000003
【図２】
2005097941.tif 000004
【図３】
2005097941.tif 000005
【図４】
2005097941.tif 000006
【図５】
2005097941.tif 000007
【図６】
2005097941.tif 000008
【図７】
2005097941.tif 000009
【図８】
2005097941.tif 000010
【図９】
2005097941.tif 000011
【図１０】
2005097941.tif 000012
【図１１】
2005097941.tif 000013
【図１２】
2005097941.tif 000014